(57)【特許請求の範囲】
【請求項１】
操作部と、該操作部の操作によって動作するスイッチ本体とを備え、前記操作部と前記スイッチ本体との間に、前記スイッチ本体側を密閉するシート状の密閉部材を介在させ、
前記スイッチ本体は、機器の内部に組み込まれるとともに、該機器の開口部から外部に臨み、前記密閉部材は、前記スイッチ本体および前記開口部を密閉するように機器に取り付けられ、前記操作部は、前記密閉部材を介して前記スイッチ本体を動作できるように前記機器に配設され、
前記機器は、前記開口部および表示用の開口部が形成されたベース部材と、前記表示用の開口部を密閉するカバー部材とを備え、
前記操作部は、一端側が前記ベース部材の係合部に係合されるとともに、他端側が前記カバー部材の係合部に係合され、
前記カバー部材は、前記操作部の他端側を係合させた状態で、前記ベース部材に取り付けられ、
前記操作部は、押圧操作される操作面を有するとともに、前記操作面とは反対側の面に、前記スイッチ本体に臨む押圧部が突設され、前記操作部は、前記押圧操作に応じて、前記操作部の前記一端側の前記ベース部材との係合部を支点として前記他端側が揺動することにより、前記押圧部が、前記密閉部材を介して前記スイッチ本体を動作させることを特徴とするスイッチ構造。
【請求項２】
前記操作部がキートップであり、前記スイッチ本体は、前記機器の内部の基板上に配置されたキースイッチである請求項１に記載のスイッチ構造。
【発明の詳細な説明】
【０００１】
【発明の属する技術分野】
本発明は、デジタルパネルメータ、電子カウンタあるいはタイマ等の各種機器において、水、油あるいは粉塵などの浸入から該機器を保護するのに好適なスイッチ構造に関する。
【０００２】
【従来の技術】
従来の電子機器、例えば、デジタルパネルメータには、食品ライン等の水洗いなどが必要な用途に使用されるものがあり、このようなデジタルパネルメータでは、制御パネルの取付孔からその前面が臨むように前記制御パネルに取り付けられるものであって、前面からの防水性が要求され、例えば、ＮＥＭＡ４（ＩＰ−６６相当）といった規格を満足する必要がある。
【０００３】
このため、従来のデジタルパネルメータでは、図７に示されるように、制御パネル（図示せず）の取付孔から臨むデジタルパネルメータ５０の前面の表示部５１およびスイッチ部５２の全面に、防水シート５３を貼着したり、あるいは、図８のデジタルパネルメータ５４に示されるように、スイッチ部５５を、シール用のＯリング５６とキートップ５７とによって構成したり、さらには、スイッチ部を、いわゆるラバースイッチで構成したりしている。
【０００４】
【発明が解決しようとする課題】
ところが、図７に示されるように、表示部５１およびスイッチ部５２の全面に防水シート５３を貼着する従来例では、スイッチ部５２のキーストロークが少ないために、キースイッチを押した感触、いわゆるクリック感が少なく、また、機器の前面が平面的となってデザイン的にも高級感が十分に得られないという難点がある。
【０００５】
一方、図８に示されるように、Ｏリング５６とキートップ５７とによって防水を図る従来例では、十分なクリック感を得ることができるけれども、部品点数が多くなって組み立てコストが高くなるという難点があり、また、スイッチ部をラバースイッチで構成する従来例では、油に弱く、また、ラバースイッチでは、合成樹脂製のスイッチに比べて高級感が得られにくいという難点がある。
【０００６】
本発明は、上述の点に鑑みて為されたものであって、十分な防水性を確保しつつ、クリック感を得ることができ、しかも、比較的低いコストで構成できるスイッチ構造を提供することを目的とする。
【０００７】
【課題を解決するための手段】
本発明では、上述の目的を達成するために、次のように構成している。
【０００８】
すなわち、本発明は、操作部と、該操作部の操作によって動作するスイッチ本体とを備え、前記操作部と前記スイッチ本体との間に、前記スイッチ本体側を密閉するシート状の密閉部材を介在させ、前記スイッチ本体は、機器の内部に組み込まれるとともに、該機器の開口部から外部に臨み、前記密閉部材は、前記スイッチ本体および前記開口部を密閉するように機器に取り付けられ、前記操作部は、前記密閉部材を介して前記スイッチ本体を動作できるように前記機器に配設され、前記機器は、前記開口部および表示用の開口部が形成されたベース部材と、前記表示用の開口部を密閉するカバー部材とを備え、前記操作部は、一端側が前記ベース部材の係合部に係合されるとともに、他端側が前記カバー部材の係合部に係合され、前記カバー部材は、前記操作部の他端側を係合させた状態で、前記ベース部材に取り付けられ、前記操作部は、押圧操作される操作面を有するとともに、前記操作面とは反対側の面に、前記スイッチ本体に臨む押圧部が突設され、前記操作部は、前記押圧操作に応じて、前記操作部の前記一端側の前記ベース部材との係合部を支点として前記他端側が揺動することにより、前記押圧部が、前記密閉部材を介して前記スイッチ本体を動作させるものである。
【００１３】
本発明のスイッチ構造によれば、直接操作される操作部と該操作部の操作によって動作するスイッチ本体との間に、前記スイッチ本体側を密閉するためのシート状の密閉部材を介在させたので、前記密閉部材によってスイッチ本体側への水や油などの浸入を防止できるとともに、操作部を操作することによってスイッチ本体を動作せるので、キーストロークを確保して十分なクリック感を得ることができる。
【００１４】
また、前記密閉部材は、機器の開口部から臨むスイッチ本体側を密閉するように機器に取り付けられるので、機器の内部への水や油などの浸入を防止できることになる。
【００１５】
さらに、操作部は、機器のベース部材およびカバー部材の各係合部に係合されて取り付けられるので、組み立てが容易であり、また、操作部、カバー部材およびベース部材を、合成樹脂の成型品で構成することができ、デザイン的にも高級感を得ることができる。
【００１６】
【発明の実施の形態】
以下、図面によって本発明の実施の形態について詳細に説明する。
【００１７】
図１は、本発明の一つの実施の形態に係るデジタルパネルメータの正面図であり、図２は、その分解斜視図である。
【００１８】
この実施の形態のデジタルパネルメータの前面には、図１に示されるように、現在値や設定値などを表示する５桁のメイン表示部１と、現在値と設定値との比較出力であるＨＨ，ＰＡＳＳ，ＬＬなどを表示する比較出力表示部２と、メイン表示部１に表示されている値がボトム値あるいはピーク値であるときに点灯するＭｉｎ，Ｍａｘなどのステータス表示部３とを備えており、それら表示部１〜３の下方には、シフトキーやアップキーなどの５つの操作キー４が配備されている。
【００１９】
このデジタルパネルメータは、図２に示されるように、本体ケース５内に、電源基板６、ＣＰＵ基板７、入力用基板８および出力ユニット９が収納されるとともに、チップＬＥＤ１０および５つのキースイッチ１１が搭載された表示用基板１２、日文字等の透孔が形成されたＬＥＤケース１３と、該ＬＥＤケース１３の表面に貼着される拡散シート１４が収納される。
【００２０】
さらに、この本体ケース５の前面側には、キースイッチ１１のプランジャ部が臨む５つのスイッチ用開口部１５および表示用開口部１６を有するベース部材１７が、防水ゴム１８を介して装着され、このベース部材１７のスイッチ用開口部１５の部分には、後述のように密閉部材としての防水シート１９が貼着され、さらに、上述の操作キー４の各キートップ２０が取り付けられるとともに、表示用開口部１６を密閉するカバー部材２１が取り付けられる。このカバー部材２１は表示内容を目視できるように、透明材料あるいは半透明材料などから構成される。
【００２１】
また、本体ケース５の背面側には、フィンガープロテクタ２２が装着される。
【００２２】
このデジタルパネルメータは、従来と同様に、本体ケース５の外周部に防水パッキン２３を嵌着して、制御パネルの取付孔に当該デジタルパネルメータを該パネルの前面側から挿入し、裏面側から取付用金具２４によって制御パネルに取り付けるものである。
【００２３】
この実施の形態のデジタルパネルメータは、水洗いなどが必要な食品ライン等において好適に使用できるように、その前面は、ＮＥＭＡ４規格を満足する防水構造となっており、以下、この防水構造について、図３および図４に基づいて、詳細に説明する。
【００２４】
図３は、図２の要部を拡大して示す分解斜視図であり、図４は、前面部分の要部の断面図である。
【００２５】
表示用基板１２上には、表示用のチップＬＥＤ１０と共に、上述の操作キー４を構成するスイッチ本体としての５つのキースイッチ１１が実装されており、合成樹脂製のベース部材１７には、これら５つのキースイッチ１１の各プランジャ部がそれぞれ臨む矩形のスイッチ用開口部１５が並設されている。
【００２６】
この実施の形態では、これらスイッチ用開口部１５から機器の内部への水や油などの浸入を防止するために、ベース部材１７のスイッチ用開口部１５には、キースイッチ１１および該スイッチ用開口部１５を密閉するように矩形の防水シート１９が貼着される。この防水シート１９は、透明の合成樹脂製であって、各キースイッチ１１のプランジャ部に対応した楕円状部分１９ａが、前面（図４の左方）側へ湾曲して形成されている。
【００２７】
このようにして防水シート１９によって機器の内部に密閉されたキースイッチ１１を動作させるために、各キースイッチ１１にそれぞれ対応する位置に、操作部としてのキートップ２０が配設される。
【００２８】
このキートップ２０は、図５（Ａ），（Ｂ），（Ｃ）の平面図、側面図および底面図にも示されるように、上面が手指で直接押圧操作される操作面２０ａとなっており、この操作面２０ａには、押圧位置を示す３つの半球面状の凸部２０ｂが形成されている。このキートップ２０の下面側の略々中央位置には、押圧操作に応じて、防水シート１９を介してキースイッチ１１のプランジャ部を押圧してキースイッチ１１を動作させる押圧部２０ｃが突設されている。
【００２９】
また、キートップ２０のカバー部材２１側の端部には、図４に示されるカバー部材２１の係合凹部２１ａに係合する係合突起２０ｄが幅方向に沿って突設されており、他方の端部の下部には、ベース部材１７の係合凹部１７ａに係合する係合突起２０ｅが、幅方向に沿って２箇所にそれぞれ突設されている。この係合突起２０ｅとキートップ２０の端部２０ｊとの間に、ベース部材１７の端部１７ｆを挟み込んだ状態で取り付けられる。
【００３０】
さらに、キートップ２０の前記他方の端部の両側には、図３に示されるベース部材１７の縁部に形成された切欠１７ｂに嵌り込む嵌合突起２０ｆが形成されている。
【００３１】
キートップ２０は、ベース部材１７の前記切欠１７ｂに嵌合突起２０ｆを嵌合させるとともに、係合凹部１７ａに係合突起２０ｅを係合させ、さらに、透明の合成樹脂製のカバー部材２１の係合凹部２１ａに係合突起２０ｄを係合させた状態で、前記カバー部材２１の周縁部を、ベース部材１７の表示用開口部１６を密閉するように該ベース部材２１に、例えば、超音波蒸着することによって取り付けられる。
【００３２】
このようにして取り付けられたキートップ２０の操作面２０ａを押圧操作すると、ベース部材１７との係合部を支点として揺動し、これによって、キートップ２０の下面側の押圧部２０ｃが、防水シート１９を介してキースイッチ１１のプランジャ部を押圧し、これによって、キースイッチ１１が動作するものである。
【００３３】
以上のように、デジタルパネルメータの前面のベース部材１７のスイッチ用開口部１５は、防水シート１９によって密閉され、表示用開口部１６は、カバー部材２１が超音波蒸着されることによって密閉されるので、デジタルパネルメータの前面から内部に水や油などが浸入するのを防止できることになる。
【００３４】
しかも、キートップ２０を操作することによってキースイッチ１１を動作させるので、キーストロークを確保することができ、十分なクリック感を得ることができる。
【００３５】
また、キートップ２０、ベース部材１７およびカバー部材２１を、合成樹脂の成型品で構成できるので、高級感を得ることができる。
【００３６】
さらに、キートップ２０は、ベース部材１７およびカバー部材２１の係合部に係合させる、いわゆるワンタッチの嵌め込み式であるので、組み立てが容易であり、キートップにＯリングを装着して防水を図る従来例に比べて、コストの低減を図ることができる。
【００３７】
上述の実施の形態では、設定値をメイン表示部に表示したけれども、本発明の他の実施の形態として、図６に示されるように、メイン表示部１の下方に５桁の設定値表示部３０を別に設けてよい。
【００３８】
上述の実施の形態では、デジタルパネルメータに適用して説明したけれども、本発明は、デジタルパネルメータに限らず、電子カウンタあるいはタイマ等の防水性が要求される各種の機器に適用できるのは、勿論である。
【００３９】
【発明の効果】
以上のように本発明によれば、直接操作されるキートップといった操作部と該操作部の操作によって動作するキースイッチといったスイッチ本体との間に、前記スイッチ本体側を密閉するためのシート状の密閉部材を介在させたので、前記密閉部材によってスイッチ本体側の機器の内部への水や油などの浸入を防止して防水を図ることができ、しかも、操作部を操作することによってスイッチ本体を動作せるので、キーストロークを確保して十分なクリック感を得ることができる。
【００４０】
また、操作部は、機器のベース部材およびカバー部材の各係合部に係合されて取り付けられるので、組み立てが容易であり、また、操作部、カバー部材およびベース部材を、合成樹脂の成型品で構成することができ、デザイン的にも高級感を得ることができる。
【図面の簡単な説明】
【図１】本発明の一つの実施の形態に係るデジタルパネルメータの正面図である。
【図２】図１のデジタルパネルメータの分解斜視図である。
【図３】図２の要部の拡大斜視図である。
【図４】デジタルパネルメータの前面部分の要部の断面図である。
【図５】キートップを示す図である。
【図６】本発明の他の実施の形態に係る正面図である。
【図７】従来例の要部の斜視図である。
【図８】他の従来例の要部の斜視図である。
【符号の説明】
４                  操作キー
１１                キースイッチ
１５                スイッチ用開口部
１６                表示用開口部
１７                ベース部材
１９                防水シート
２０                キートップ
２１                カバー部材
【図１】
0003695003.tif 000002
【図２】
0003695003.tif 000003
【図３】
0003695003.tif 000004
【図４】
0003695003.tif 000005
【図５】
0003695003.tif 000006
【図６】
0003695003.tif 000007
【図７】
0003695003.tif 000008
【図８】
0003695003.tif 000009